(57)【要約】【課題】プレキュアトレッドをその幅方向端部を変形させることなく保持して、プレキュアトレッドの品質を長期に亘って維持する。【解決手段】このプレキュアトレッド保持装置１は、円環状に形成されるとともにトレッド面に周方向に沿って延びる少なくとも一本の周溝Ｇを有する更生タイヤ用のプレキュアトレッドＰＴを保持するものであって、ベース２と、ベース２上で周方向に相互に間隔をおいて設けられ、プレキュアトレッドＰＴをベース２から浮かせた状態で径方向外側から保持する少なくとも３つの保持部材４と、を備え、各保持部材４は、プレキュアトレッドＰＴの外周面と対向する側に、プレキュアトレッドＰＴの周溝Ｇ内に入り込んで該プレキュアトレッドＰＴを保持する突起１５ａをそれぞれ有する。【選択図】図３
2012045731.tif 000002
【特許請求の範囲】
【請求項１】
円環状に形成されるとともにトレッド面に周方向に沿って延びる少なくとも一本の周溝を有する更生タイヤ用のプレキュアトレッドを保持するプレキュアトレッド保持装置であって、
ベースと、
前記ベース上で周方向に相互に間隔をおいて設けられ、前記プレキュアトレッドを前記ベースから浮かせた状態で径方向外側から保持する少なくとも３つの保持部材と、を備え、
各保持部材は、プレキュアトレッドの外周面と対向する側に、プレキュアトレッドの前記周溝内に入り込んで該プレキュアトレッドを保持する突起をそれぞれ有することを特徴とするプレキュアトレッド保持装置。
【請求項２】
前記保持部材は、本体部と該本体部に取り外し可能に保持され、前記突起を有するアタッチメント部とを有する、請求項１に記載のプレキュアトレッド保持装置。
【請求項３】
前記各保持部材は、前記ベース上にプレキュアトレッドの径方向に沿って移動可能に設けられたスライダにそれぞれ支持されてなる、請求項１または２に記載のプレキュアトレッド保持装置。
【請求項４】
前記スライダは互いに、プレキュアトレッドの径方向に沿って同期移動可能に構成されてなる、請求項３に記載のプレキュアトレッド保持装置。
【発明の詳細な説明】
【技術分野】
【０００１】
この発明は、円環状に形成される更生タイヤ用のプレキュアトレッドを保持する装置に関し、特には、プレキュアトレッドをその幅方向端部を変形させることなく保持して、プレキュアトレッドの品質を長期に亘って維持しようとするものである。
【背景技術】
【０００２】
近年、タイヤ製造時の原材料の節約等の観点から、第一次寿命が終了したタイヤにおいて、摩耗したトレッドゴムを取り除き、新たらにトレッドゴムを加硫、圧着することにより更生タイヤとして再び使用することが行われている。
【０００３】
そして、このような更生タイヤを製造する方法としては、予め加硫され溝が形成されているトレッドゴム（プレキュアトレッド）を、摩耗したトレッドゴムを取り除いた台タイヤに貼り付け、加硫缶内で加硫するプレキュア更生方式（例えば、特許文献１）と、トレッドパターンが付されていない未加硫のトレッドゴムを台タイヤに貼り付け、金型に入れて加硫しトレッドパターンを付すリモールド更生方式とがあるが、プレキュア更生方式は、トレッドゴムを台タイヤへの貼付けに先立って加硫しているので、リモールド更生方式に比べて加硫温度を低く設定できることから台タイヤを傷める度合いが小さく、また、タイヤごとの専用の金型を必要とせず加硫缶内でまとめて加硫することができるので、コスト的にも優れている。
【先行技術文献】
【特許文献】
【０００４】
【特許文献１】特開２００７−２０３６８４号公報
【発明の概要】
【発明が解決しようとする課題】
【０００５】
ところで、プレキュア更生方式に用いられるプレキュアトレッドは、リモールド更生方式とは異なり台タイヤへの貼付けとは別工程で前もって成形されるため、プレキュアトレッドを成形してから台タイヤに貼り付けるまで時間が空いたり、プレキュアトレッドを成形した場所とプレキュアトレッドを貼り付ける場所とが異なったりする場合がある。このような場合、予め成形したプレキュアトレッドは、台タイヤに貼り付けるまでの間一時的に保管する必要があったところ、従来は、図５（ａ）に示すように、成形したプレキュアトレッドＰＴを、単にパレット２０上に直置きすることにより保管していた。
【０００６】
しかしながら、このようにプレキュアトレッドＰＴをパレット２０上で長時間保管すると、図５（ｂ）に示すように、プレキュアトレッドＰＴの幅方向端部ＰＴ１のうち、パレット２０に接する側の幅方向端部ＰＴ１が自重により押し潰されて変形することがあった。特に、プレキュアトレッドＰＴの形状として、サイドウォールの外観向上及びトレッド幅の拡大等を狙っていわゆるウイング部ＰＴ２を設けたプレキュアトレッドを採用した場合、かかるウイング部ＰＴ２は比較的薄肉であるため、プレキュアトレッドＰＴの幅方向端部ＰＴ１における変形はより顕著なものとなる。そして、プレキュアトレッドＰＴの幅方向端部ＰＴ１における変形は、台タイヤとの均一な密着性を失わせ、また、トレッドゴムと台タイヤとの間にエアーが入り込む原因にもなる。
【０００７】
それゆえこの発明の目的は、プレキュアトレッドをその幅方向端部を変形させることなく保持して、プレキュアトレッドの品質を長期に亘って維持することのできる装置を提供するところにある。
【課題を解決するための手段】
【０００８】
上記課題を解決するため、この発明のプレキュアトレッド保持装置は、円環状に形成されるとともにトレッド面に周方向に沿って延びる少なくとも一本の周溝を有する更生タイヤ用のプレキュアトレッドを保持するプレキュアトレッド保持装置であって、ベースと、前記ベース上で周方向に相互に間隔をおいて設けられ、前記プレキュアトレッドを前記ベースから浮かせた状態で径方向外側から保持する少なくとも３つの保持部材と、を備え、各保持部材は、プレキュアトレッドの外周面と対向する側に、プレキュアトレッドの前記周溝内に入り込んで該プレキュアトレッドを保持する突起をそれぞれ有することを特徴とするものである。
【０００９】
かかるプレキュアトレッド保持装置にあっては、保持部材の内側にプレキュアトレッドを配置し、保持部材の突起をプレキュアトレッドの周溝内に挿入することで、プレキュアトレッドは保持部材に保持される。このとき、プレキュアトレッドは、保持部材によって、ベースから浮いた状態に保持されるため、プレキュアトレッドの幅方向端部が変形することがない。また、保持部材の突起を周溝に係合させてプレキュアトレッドを保持する構成としたので、保持部材によってプレキュアトレッドの外周面に過度の力が加えられることがなく、プレキュアトレッドを真円に保つことができる。
【００１０】
したがって、この発明のプレキュアトレッド保持装置によれば、プレキュアトレッドの幅方向端部に変形を生じさせることなく、プレキュアトレッドの品質を長期に亘って維持することができる。
【００１１】
なお、この発明のプレキュアトレッド保持装置にあっては、前記保持部材は、本体部と該本体部に取り外し可能に保持され、前記突起を有するアタッチメント部とを有することが好ましい。
【００１２】
また、この発明のプレキュアトレッド保持装置にあっては、前記各保持部材は、前記ベース上にプレキュアトレッドの径方向に沿って移動可能に設けられたスライダにそれぞれ支持されてなることが好ましい。
【００１３】
さらに、この発明のプレキュアトレッド保持装置にあっては、前記スライダは互いに、プレキュアトレッドの径方向に沿って同期移動可能に構成されてなることが好ましい。
【発明の効果】
【００１４】
この発明によれば、プレキュアトレッドをその幅方向端部を変形させることなく保持して、プレキュアトレッドの品質を長期に亘って維持することのできる装置を提供するが可能となる。
【図面の簡単な説明】
【００１５】
【図１】この発明にしたがう一実施形態のプレキュアトレッド保持装置の平面図である。
【図２】図１のプレキュア保持装置において、移動装置及び保持部材の一つを拡大して示す斜視図である。
【図３】図１のＩ−Ｉ線に沿った断面を、保持部材にプレキュアトレッドを保持させた状態で示す断面図である。
【図４】（ａ）、（ｂ）はそれぞれ、保持部材を構成する本体部とアタッチメント部を示し、（ａ）は、アタッチメント部を本体部に取り付ける前の状態を、（ｂ）はアタッチメント部を本体部に取り付けた状態を示す。
【図５】従来のプレキュアトレッドの保管方法を示した概略斜視図である。
【発明を実施するための形態】
【００１６】
以下、この発明の実施の形態を図面に基づき説明する。なお、図中、符号ＰＴは、予め加硫成形された円環状のプレキュアトレッドを示し、符号Ｇは、プレキュアトレッドのトレッド面に形成され、周方向に沿って延びる周溝を示す。周溝には、トレッド周方向（以下、単に「周方向」という。）に直線状に延びるものの他、湾曲または屈曲しつつ周方向に延びるものも含まれる。また、符号１は、この発明に従う実施形態のプレキュアトレッド保持装置（以下、単に「保持装置」という。）を示す。
【００１７】
図１に示すように、この保持装置１は、平板状のベース２と、ベース２上で周方向に相互に間隔をおいて設けられ、プレキュアトレッドＰＴをベース２から浮かせた状態で径方向外側（プレキュアトレッドＰＴの外周面側）から保持する少なくとも３つ、ここでは３つの保持部材４とを備える。３つの保持部材４は、ここでは、周方向に均等に配置されている。
【００１８】
ベース２と各保持部材４との間にはそれぞれ、保持部材４を径方向に沿って移動させる移動装置７が設けられている。図２に詳細を示すに、移動装置７は、ベース２の表面に沿って配置されたレール８と、該レール８に誘導され、移動するスライダ９と、スライダ９の位置を検出するセンサ（図示省略）と、スライダ９を貫通して延びるとともにスライダ９と螺合するボールねじ１１と、ボールねじ１１を回転させるモータ１２と、を備える。この移動装置７は、図示しない電源から電力の供給を受け、図示しないコントローラを介して駆動、制御される。センサによって検出されたスライダ９の位置信号は、コントローラに入力され、コントローラは、全てのスライダ９を同期移動させる。すなわち、全てのスライダ９は、径方向に沿って同期移動可能に構成されている。
【００１９】
各保持部材４はそれぞれ、スライダ９に支持された本体部１４と、この本体部１４に取り外し可能に保持されるアタッチメント部１５とを有し、アタッチメント部１５には、プレキュアトレッドＰＴの外周面（トレッド面）に形成された周溝Ｇの形状と対応する形状（周溝を補完する形状）をもち、該周溝Ｇ内に入り込んでプレキュアトレッドＰＴを保持する突起１５ａが一体に形成されている。ここでは、突起１５ａは、プレキュアトレッドの周溝Ｇの本数に合わせて５つ設けられているが、突起１５ａの数はこれに限定されない。また、ここでは、本体部１４にあり溝１４ａを形成するとともに、アタッチメント部１５にこのあり溝１４ａに適合する凸部１５ｂを設けて、アタッチメント部１５を取り外し可能に構成しているが、アタッチメント部１５の本体部１４に対する取付方法はこれに限定されない。
【００２０】
次いで、この保持装置１を用いて、プレキュアトレッドＰＴを保持、保管する方法について説明する。
【００２１】
まず、初期状態として、移動装置７のスライダ９及び保持部材４は、保持するプレキュアトレッドＰＴよりも外側、ここでは径方向最外側に位置している。この状態にて、保持部材４の内側にプレキュアトレッドＰＴを、その一方の側面がベース２と対向する姿勢で配置し、次いで、移動装置７のモータ１２を駆動して、スライダ９及び保持部材４を径方向内側に、保持部材４の突起１５ａがプレキュアトレッドＰＴの周溝Ｇ内に挿入されるまで同期移動させる。これにより、プレキュアトレッドＰＴは、ベース２から浮いた状態に保持される。なお、スライダ９の径方向内側への移動量は、プレキュアトレッドＰＴの外径に対応して、予めコントローラに目標値として与えておくことができる。あるいは、移動装置７にモータ１２のトルクを検出する検出器（図示省略）を設けて、モータ１２のトルクが所定以上になった場合にモータ１２を停止するようにしてもよい。
【００２２】
したがって、この保持装置１によれば、プレキュアトレッドＰＴをベース２から浮かせた状態で保持することができるので、プレキュアトレッドＰＴの幅方向端部ＰＴ１に変形を生じさせることなく、プレキュアトレッドＰＴの品質を長期に亘って維持することができる。また、保持部材４の突起１５ａを周溝Ｇに係合させてプレキュアトレッドＰＴを保持する構成としたので、保持部材４によってプレキュアトレッドＰＴの外周面に過度の力が加わってプレキュアトレッドＰＴが変形するのを防止することができる。
【００２３】
また、この実施形態の保持装置によれば、保持部材４を、本体部１４と該本体部１４に取り外し可能に保持され、突起１５ａを有するアタッチメント部１５とで構成したことから、アタッチメント部１５のみを交換するだけで、サイズや周溝Ｇの本数、溝幅等の異なるプレキュアトレッドＰＴを保持することができる。
【００２４】
また、この実施形態の保持装置１によれば、各保持部材４を、移動装置７のスライダ９によってプレキュアトレッドＰＴの径方向に沿って移動可能に構成したことから、保持部材４によってプレキュアトレッドＰＴの外周面を押す力を調節してプレキュアトレッドＰＴに均一に力を加えることができ、プレキュアトレッドＰＴの形状をさらに良好な状態で保持することができる。
【００２５】
さらに、この実施形態の保持装置１によれば、スライダ９を互いに、プレキュアトレッドＰＴの径方向に沿って同期移動可能に構成したことから、自動的かつ確実にプレキュアトレッドＰＴの心出しを可能とし、プレキュアトレッドＰＴに均一に力を加えることができ、プレキュアトレッドＰＴの真円をより確実に保持することができる。
【００２６】
以上、図示例に基づき説明したが、この発明は上述の実施形態に限定されるものでなく、特許請求の範囲の記載範囲内で適宜変更することができるものであり、例えば、上記実施形態では、スライダをモータによる駆動力によって移動させる例を示したが、手動によりスライダを移動させる構成としてもよく、手動にした場合は、スライダの位置を固定するストッパを別途設けることができる。また、上記実施形態では、ボールねじによりスライダを移動させると説明したが、これに代えて、エアーないし油圧シリンダによりスライダを移動させてもよい。また、保持部材の数は、４つ以上としてもよい。
【産業上の利用可能性】
【００２７】
かくして、この発明により、プレキュアトレッドをその幅方向端部を変形させることなく保持して、プレキュアトレッドの品質を長期に亘って保持することのできる装置を提供することが可能となった。
【符号の説明】
【００２８】
１  プレキュアトレッド保持装置
２  ベース
４  保持部材
７  移動装置
８  レール
９  スライダ
１１  ボールねじ
１２  モータ
１４  保持部材の本体部
１５  保持部材のアタッチメント部
１５ａ  突起
【図１】
2012045731.tif 000003
【図２】
2012045731.tif 000004
【図３】
2012045731.tif 000005
【図４】
2012045731.tif 000006
【図５】
2012045731.tif 000007